(57)【特許請求の範囲】
【請求項１】
所定エリアに設置され、識別情報をバーコードとして提示する複数の広告物と、
前記所定エリアの広告物に関する識別情報と詳細な広告情報をネットワークを介して送信する情報サーバと、
前記情報サーバから受信した前記識別情報と広告情報により光源を点滅し、前記光源から出力される可視光信号を前記所定エリアに照光する複数の照明装置と、
前記広告物に提示されているバーコードを撮影して識別情報を取得する一方、前記照明装置により出力される可視光信号を復調して識別情報と広告情報を一括して取得する携帯端末とを含む情報配信システムであって、
前記携帯端末は、
前記照明装置から取得した複数の前記識別情報と広告情報の中から、前記広告物から取得した識別情報に対応する広告情報を選択して取得する手段を有することを特徴とする情報配信システム。
【請求項２】
所定エリアに設置される複数の広告物と、
前記所定エリアに設置される広告物に関する位置情報と詳細な広告情報をネットワークを介して送信する情報サーバと、
前記情報サーバから受信した前記位置情報と広告情報により光源を点滅し、前記光源から出力される可視光信号を前記所定エリアに照光する複数の照明装置と、
前記照明装置により出力される可視光信号を復調して位置情報と広告情報を一括して取得する携帯端末とを含む情報配信システムであって、
前記携帯端末は、
自端末の位置を測位して位置情報を取得する測位手段と、
前記照明装置から取得した複数の前記位置情報と広告情報の中から、前記自端末の位置情報に対応する広告情報を選択して取得する手段と、を有することを特徴とする情報配信システム。
【請求項３】
自端末を前記広告物に向けた場合の方位を検出して方位情報を取得する方位検出手段と、
前記照明装置から取得した複数の前記位置情報と広告情報の中から、前記自端末の位置情報および前記方位情報に対応する広告情報を選択して取得する手段と、を有することを特徴とする請求項２記載の情報配信システム。
【請求項４】
所定エリアに設置される広告物に提示されているバーコードを撮影して識別情報を取得する一方、前記所定エリアに設置される複数の照明装置により出力される可視光信号を復調して前記所定エリアの広告物に関する識別情報と広告情報を一括して取得する携帯端末であって、
前記照明装置から取得した複数の前記識別情報と広告情報の中から、前記広告物から取得した識別情報に対応する広告情報を選択して取得する手段とを有することを特徴とする携帯端末。
【請求項５】
所定エリアに設置される複数の照明装置により出力される可視光信号を復調して前記所定エリアに設置される広告物に関する位置情報と広告情報を一括して取得する携帯端末であって、
自端末の位置を測位して位置情報を取得する測位手段と、
前記照明装置から取得した複数の前記位置情報と広告情報の中から、前記自端末の位置情報に対応する広告情報を選択して取得する手段と、を有することを特徴とする携帯端末。
【請求項６】
自端末を前記広告物に向けた場合の方位を検出して方位情報を取得する方位検出手段と、
前記照明装置から取得した複数の前記位置情報と広告情報の中から、前記自端末の位置情報および前記方位情報に対応する広告情報を選択して取得する手段と、を有することを特徴とする請求項５記載の携帯端末。
【請求項７】
所定エリアに設置され、識別情報をバーコードとして提示する複数の広告物と、
前記所定エリアの広告物に関する識別情報と詳細な広告情報をネットワークを介して送信する情報サーバと、
前記情報サーバから受信した前記識別情報と広告情報により光源を点滅し、前記光源から出力される可視光信号を前記所定エリアに照光する複数の照明装置と、
前記広告物に提示されているバーコードを撮影して識別情報を取得する一方、前記照明装置により出力される可視光信号を復調して識別情報と広告情報を一括して取得する携帯端末とを含むシステムにおける情報配信方法であって、
前記携帯端末は、
前記照明装置から取得した複数の前記識別情報と広告情報の中から、前記広告物から取得した識別情報に対応する広告情報を選択して取得するステップを有することを特徴とする情報配信方法。
【請求項８】
所定エリアに設置される複数の広告物と、
前記所定エリアに設置される広告物に関する位置情報と詳細な広告情報をネットワークを介して送信する情報サーバと、
前記情報サーバから受信した前記位置情報と広告情報により光源を点滅し、前記光源から出力される可視光信号を前記所定エリアに照光する複数の照明装置と、
前記照明装置により出力される可視光信号を復調して位置情報と広告情報を一括して取得する携帯端末とを含むシステムにおける情報配信方法であって、
前記携帯端末は、
自端末の位置を測位して位置情報を取得する測位ステップと、
前記照明装置から取得した複数の前記位置情報と広告情報の中から、前記自端末の位置情報に対応する広告情報を選択して取得するステップと、を有することを特徴とする情報配信方法。
【請求項９】
自端末を前記広告物に向けた場合の方位を検出して方位情報を取得する方位検出ステップと、
前記照明装置から取得した複数の前記位置情報と広告情報の中から、前記自端末の位置情報および前記方位情報に対応する広告情報を選択して取得するステップと、を有することを特徴とする請求項８記載の情報配信方法。
【請求項１０】
所定エリアに設置される広告物に提示されているバーコードを撮影して識別情報を取得する一方、前記所定エリアに設置される複数の照明装置により出力される可視光信号を復調して前記所定エリアの広告物に関する識別情報と広告情報を一括して取得する携帯端末に設けられたコンピュータが実行するプログラムであって、
前記照明装置から取得した複数の前記識別情報と広告情報の中から、前記広告物から取得した識別情報に対応する広告情報を選択して取得するステップとを前記コンピュータが実行することを特徴とするプログラム。
【請求項１１】
所定エリアに設置される複数の照明装置により出力される可視光信号を復調して前記所定エリアに設置される広告物に関する位置情報と広告情報を一括して取得する携帯端末に設けられたコンピュータが実行するプログラムであって、
自端末の位置を測位して位置情報を取得する測位ステップと、
前記照明装置から取得した複数の前記位置情報と広告情報の中から、前記自端末の位置情報に対応する広告情報を選択して取得するステップと、を前記コンピュータが実行することを特徴とするプログラム。
【請求項１２】
自端末を前記広告物に向けた場合の方位を検出して方位情報を取得する方位検出ステップと、
前記照明装置から取得した複数の前記位置情報と広告情報の中から、前記自端末の位置情報および前記方位情報に対応する広告情報を選択して取得するステップと、を有することを特徴とする請求項１１記載のプログラム。
【発明の詳細な説明】
【技術分野】
【０００１】
本発明は、所定エリアに配信される情報の中から個別情報を選択的に取得するための技術に関する。
【背景技術】
【０００２】
従来、電車内や街角などに設置された表示装置を介して広告などの情報が出力されている。
【０００３】
これらの情報には、各個人にとっては興味のある情報が含まれる一方、全く興味の無い情報も含まれていることがあり、欲する情報を待つ手間や取捨選択の手間が発生していた。
【０００４】
ここで、第１の情報を提供するとともに、この第１の情報に関連する第２の情報を送信して提供する装置であって、LED発光手段に第１の情報を表示し、あるいはこれを照明装置として使用し、加えてLED発光手段のLEDを人の目で判断できない高速で点滅させて光通信で第２の情報を送信し、受信者に情報を提供することができる技術が提案されている（例えば、特許文献１参照）。
【特許文献１】特開２００２−２０２７４１号公報
【発明の開示】
【発明が解決しようとする課題】
【０００５】
しかしながら、上述した従来例においては次のような問題点があった。
【０００６】
複数の照明からの情報を選択的に取得すべく、所定の識別情報を取得し、その識別情報を記憶しておき、いつでも好きなときにその識別情報に対応する詳細情報を照明から取得することができない。
【０００７】
本発明は、以上説明した事情に鑑みてなされたものであり、その目的は、いつでも好きなときに識別情報に対応する詳細情報を照明から取得することである。
【課題を解決するための手段】
【０００８】
上記課題を解決するために、請求項１記載の本発明は、所定エリアに設置され、識別情報をバーコードとして提示する複数の広告物と、前記所定エリアの広告物に関する識別情報と詳細な広告情報をネットワークを介して送信する情報サーバと、前記情報サーバから受信した前記識別情報と広告情報により光源を点滅し、前記光源から出力される可視光信号を前記所定エリアに照光する複数の照明装置と、前記広告物に提示されているバーコードを撮影して識別情報を取得する一方、前記照明装置により出力される可視光信号を復調して識別情報と広告情報を一括して取得する携帯端末とを含む情報配信システムであって、前記携帯端末は、前記照明装置から取得した複数の前記識別情報と広告情報の中から、前記広告物から取得した識別情報に対応する広告情報を選択して取得する手段を有することを特徴とする情報配信システムである。
【０００９】
請求項２記載の本発明は、所定エリアに設置される複数の広告物と、前記所定エリアに設置される広告物に関する位置情報と詳細な広告情報をネットワークを介して送信する情報サーバと、前記情報サーバから受信した前記位置情報と広告情報により光源を点滅し、前記光源から出力される可視光信号を前記所定エリアに照光する複数の照明装置と、前記照明装置により出力される可視光信号を復調して位置情報と広告情報を一括して取得する携帯端末とを含む情報配信システムであって、前記携帯端末は、自端末の位置を測位して位置情報を取得する測位手段と、前記照明装置から取得した複数の前記位置情報と広告情報の中から、前記自端末の位置情報に対応する広告情報を選択して取得する手段と、を有することを特徴とする情報配信システムである。
【００１０】
請求項３記載の本発明は、請求項２記載の情報配信システムにおいて、自端末を前記広告物に向けた場合の方位を検出して方位情報を取得する方位検出手段と、前記照明装置から取得した複数の前記位置情報と広告情報の中から、前記自端末の位置情報および前記方位情報に対応する広告情報を選択して取得する手段と、を有することを特徴とする。
【００１１】
請求項４記載の本発明は、所定エリアに設置される広告物に提示されているバーコードを撮影して識別情報を取得する一方、前記所定エリアに設置される複数の照明装置により出力される可視光信号を復調して前記所定エリアの広告物に関する識別情報と広告情報を一括して取得する携帯端末であって、前記照明装置から取得した複数の前記識別情報と広告情報の中から、前記広告物から取得した識別情報に対応する広告情報を選択して取得する手段とを有することを特徴とする携帯端末である。
【００１２】
請求項５記載の本発明は、所定エリアに設置される複数の照明装置により出力される可視光信号を復調して前記所定エリアに設置される広告物に関する位置情報と広告情報を一括して取得する携帯端末であって、自端末の位置を測位して位置情報を取得する測位手段と、前記照明装置から取得した複数の前記位置情報と広告情報の中から、前記自端末の位置情報に対応する広告情報を選択して取得する手段と、を有することを特徴とする携帯端末である。
【００１３】
請求項６記載の本発明は、請求項５記載の携帯端末において、自端末を前記広告物に向けた場合の方位を検出して方位情報を取得する方位検出手段と、前記照明装置から取得した複数の前記位置情報と広告情報の中から、前記自端末の位置情報および前記方位情報に対応する広告情報を選択して取得する手段と、を有することを特徴とする。
【００１６】
請求項７記載の本発明は、所定エリアに設置され、識別情報をバーコードとして提示する複数の広告物と、前記所定エリアの広告物に関する識別情報と詳細な広告情報をネットワークを介して送信する情報サーバと、前記情報サーバから受信した前記識別情報と広告情報により光源を点滅し、前記光源から出力される可視光信号を前記所定エリアに照光する複数の照明装置と、前記広告物に提示されているバーコードを撮影して識別情報を取得する一方、前記照明装置により出力される可視光信号を復調して識別情報と広告情報を一括して取得する携帯端末とを含むシステムにおける情報配信方法であって、前記携帯端末は、前記照明装置から取得した複数の前記識別情報と広告情報の中から、前記広告物から取得した識別情報に対応する広告情報を選択して取得するステップを有することを特徴とする情報配信方法である。
【００１７】
請求項８記載の本発明は、所定エリアに設置される複数の広告物と、前記所定エリアに設置される広告物に関する位置情報と詳細な広告情報をネットワークを介して送信する情報サーバと、前記情報サーバから受信した前記位置情報と広告情報により光源を点滅し、前記光源から出力される可視光信号を前記所定エリアに照光する複数の照明装置と、前記照明装置により出力される可視光信号を復調して位置情報と広告情報を一括して取得する携帯端末とを含むシステムにおける情報配信方法であって、前記携帯端末は、自端末の位置を測位して位置情報を取得する測位ステップと、前記照明装置から取得した複数の前記位置情報と広告情報の中から、前記自端末の位置情報に対応する広告情報を選択して取得するステップと、を有することを特徴とする情報配信方法である。
【００１８】
請求項９記載の本発明は、請求項８記載の情報配信方法において、自端末を前記広告物に向けた場合の方位を検出して方位情報を取得する方位検出ステップと、前記照明装置から取得した複数の前記位置情報と広告情報の中から、前記自端末の位置情報および前記方位情報に対応する広告情報を選択して取得するステップと、を有することを特徴とする。
【００１９】
請求項１０記載の本発明は、所定エリアに設置される広告物に提示されているバーコードを撮影して識別情報を取得する一方、前記所定エリアに設置される複数の照明装置により出力される可視光信号を復調して前記所定エリアの広告物に関する識別情報と広告情報を一括して取得する携帯端末に設けられたコンピュータが実行するプログラムであって、前記照明装置から取得した複数の前記識別情報と広告情報の中から、前記広告物から取得した識別情報に対応する広告情報を選択して取得するステップとを前記コンピュータが実行することを特徴とするプログラムである。
【００２０】
請求項１１記載の本発明は、所定エリアに設置される複数の照明装置により出力される可視光信号を復調して前記所定エリアに設置される広告物に関する位置情報と広告情報を一括して取得する携帯端末に設けられたコンピュータが実行するプログラムであって、自端末の位置を測位して位置情報を取得する測位ステップと、前記照明装置から取得した複数の前記位置情報と広告情報の中から、前記自端末の位置情報に対応する広告情報を選択して取得するステップと、を前記コンピュータが実行することを特徴とするプログラムである。
【００２１】
請求項１２記載の本発明は、請求項１１記載のプログラムにおいて、自端末を前記広告物に向けた場合の方位を検出して方位情報を取得する方位検出ステップと、前記照明装置から取得した複数の前記位置情報と広告情報の中から、前記自端末の位置情報および前記方位情報に対応する広告情報を選択して取得するステップと、を有することを特徴とする。
【発明の効果】
【００２２】
本発明によれば、いつでも好きなときに識別情報に対応する詳細情報を照明から取得することができる。
【発明を実施するための最良の形態】
【００２３】
以下、本発明の第１の実施の形態について図面を参照して詳細に説明する。なお、各図において共通する部分には、同一の符号が付されている。
【００２４】
図１を参照すると、本実施の形態における情報配信システムは、携帯端末１００と、広告情報２００と、ＬＥＤ照明３００と、情報サーバ４００とから構成されている。携帯端末１００、広告情報２００、ＬＥＤ照明３００および情報サーバ４００は、プログラム制御により動作し、ネットワーク５００を介して相互に接続されている。ネットワーク５００は、任意のネットワークであってよく、例えば、光ファイバ、インターネット、公衆回線、ＬＡＮ（Local Area Network）、ＡＤＳＬ（Asymmetric Digital Subscriber Line）などであってもよい。なお、通信方法は、有線であっても、無線であってもよい。
【００２５】
携帯端末１００は、例えば、携帯電話機やＰＤＡなどの通信装置である。
【００２６】
さらに、図２を参照してより詳細に説明すると、携帯端末１００は、アンテナ１０１を介して図示しない無線基地局との間で無線信号を送受する無線通信部１０２と、画像情報の取得（撮影）、光信号の受信を行うカメラ１０３と、カメラ１０３を介して信号（光信号）を受信するときに、所定の周波数（色）のみを選択的に受光（透過）するためのフィルタ部１０４と、文字、画像などの各種情報表示出力を行うＬＣＤ（表示部）１０５と、各種情報操作入力を行う、テンキー、スクロール／決定キーを含み構成される操作部１０６と、音声信号処理を行う音声処理部１０７への入力、出力を行う送話部１０８および受話部１０９と、地磁気に基づき方位検出を行う方位センサ（地磁気センサ）１１０と、図示しないＧＰＳ衛星から発射された電波が端末に到達するまでの時間を測定することにより端末位置座標を求める測位部（ＧＰＳ）１１１と、楽音、報知音などを出力するスピーカ１１２と、広告情報などの識別情報、電話帳情報、送受信メール情報、発着呼情報、コンテンツ情報、プログラム情報、携帯電話端末の各種設定などを格納するメモリ１１３と、電話機能、メール機能、Ｗｅｂ接続（インターネット接続）機能、カメラ機能、可視光による情報取得／出力機能および携帯通信端末各部の制御を行う制御部１１４とを備えている。
【００２７】
なお、この携帯端末１００の一例である携帯電話機は、メモリや、ユーザが各種指令を入力するための操作入力部、画像や情報を表示する液晶表示部、音声処理部（マイク、スピーカ）など既知の構成を備えている。また、メモリには、基地局ＩＤの他に、当該携帯電話機を一意に特定するための移動機ＩＤ（例えば、携帯電話機の電話番号やシリアルナンバーなど）が格納されていてもよい。
【００２８】
移動パケット通信網は、当該移動パケット通信網に収容される携帯電話機に対してパケット通信サービスを提供する網であり、基地局、サービス制御局およびゲートウェイサーバ、複数の交換局などを備えている。
【００２９】
基地局は、移動パケット通信網の通信サービスエリア内に多数設置されており、自局のカバーする無線セルに在圏している携帯電話機と無線通信を行う。
【００３０】
サービス制御局は、パケット通信を行う携帯電話機に対してＩＰアドレスを動的に割り当てる機能を有している。ここで、サービス制御局には、移動パケット通信網に収容される携帯電話機に対して動的に割り当てることが可能なＩＰアドレスが基地局毎に複数用意されており、パケット登録の際に携帯電話機に対してＩＰアドレスを割り当てる。また、携帯電話機がハンドオーバーした場合、サービス制御局は、この携帯電話機に対して、再度パケット登録を行い、移動先の基地局用として用意されている複数のＩＰアドレスの中から、使用可能ないずれかのＩＰアドレスを割り当てる。
【００３１】
また、このサービス制御局は、ホームメモリを有している。このホームメモリは、携帯電話機のパケット登録に応じてサービス制御局により更新される。このホームメモリには、パケット登録を行った携帯電話機の移動機ＩＤと、当該携帯電話機に対して割り当てたＩＰアドレスおよび当該携帯電話機を配下に有する基地局の基地局ＩＤとが対応付けられて登録されてもよい。
【００３２】
ゲートウェイサーバは、移動パケット通信網とインターネットなどのネットワークとを相互接続する移動パケット関門中継交換局に設けられている。このゲートウェイサーバは、異なる通信プロトコルを有するネットワーク間のデータの授受を中継する機能を有する。より具体的に説明すると、ゲートウェイサーバは、移動パケット通信網用の通信プロトコルと、インターネットなどの標準通信プロトコルであるＴＣＰ／ＩＰ（Transmission Control Protocol / Internet Protocol）との相互変換を行って、移動パケット通信網とインターネットと間で行われるデータの送受信を中継する。
【００３３】
また、このゲートウェイサーバは、携帯電話機から送信される基地局ＩＤを当該基地局ＩＤを有する基地局の位置を示す緯度・経度情報に変換する機能、すなわち、位置情報を基地局ＩＤ形式から緯度・経度形式に変換する機能を有する。
【００３４】
広告情報２００は、所定のエリアに掲示された広告物であって、当該広告（情報）を識別するための識別情報（コード）が記載されている。
【００３５】
ＬＥＤ照明３００は、広告情報２００が掲示されている所定エリアに設置された照明装置であって、情報サーバ４００から送信された情報を変調（ＬＥＤを高周波点滅、高速でＬＥＤをＯＮ／ＯＦＦ）させることにより、可視光信号として出力する機能を備えている。また、ＬＥＤ光源（発光色）としては、複数色（白、赤、青、緑）を備えている。なお、出力する情報（広告）は、当該エリアの広告情報２００の詳細情報を出力している。
【００３６】
情報配信サーバ４００は、プログラム制御により動作するワークステーション・サーバなどの情報処理装置であって、図示しない情報提供元（広告提供者）から受信した配信情報を格納するとともに、所定のエリアに掲示された広告物に基づき、格納する広告情報を、ＬＥＤ照明２００を介して出力するように制御する。
【００３７】
情報配信サーバ４００は、例えば、操作入力部と、ＲＯＭ（Read Only Memory）と、ＲＡＭ（Random Access Memory）と、通信インタフェースと、ＨＤ（Hard Disk）と、ＣＰＵ（Central Processing Unit）とを備え、これらの各部はバスによって接続されている。
【００３８】
操作入力部は、キーボードやマウスなどを備え、これらのキーボードやマウスの操作に応じた操作信号をＣＰＵに出力する。ＲＯＭには、装置各部の基本制御を司るプログラムが格納されている。また、ＲＡＭは、ＣＰＵのワークエリアとして用いられ、ＣＰＵにより実行されるプログラムや、各種データが一時的に格納される。
【００３９】
通信インタフェースは、インターネットに接続されており、通信装置との間で行われるデータ通信を制御する。
【００４０】
ＨＤには、オペレーティングシステムなどの自機を制御するための各種ソフトウェアが格納されている。また、機器認証に用いられる機器認証鍵を照合するためのデータや、個人認証に用いられる照合用の個人情報などが格納されている。
【００４１】
次に、本実施の形態おける情報を配信する処理のフローについて図３を参照して説明する。携帯端末１００のユーザが、所定のエリアに掲示された広告物（任意の一つ）に興味を持ち、詳細情報を欲する場合を前提とする。
【００４２】
まず、携帯端末１００は、当該広告物を識別するための識別情報（コード）を取得すべく、カメラ１０３を起動する（Ｓ１１）。
【００４３】
携帯端末１００は、カメラ１０３により識別情報（コード）が取得されたか否かを判定する（Ｓ１２）。識別情報（コード）は、広告の印刷物中に表示されるバーコード情報を読み取ることにより取得されてもよい。
【００４４】
カメラ１０３により識別情報（コード）が取得されている場合（Ｓ１２／Ｙｅｓ）、識別情報（コード）は、メモリ１１３に格納され、次に、携帯端末１００は、当該エリアの詳細な広告情報を取得すべく、カメラ１０３を起動する（Ｓ１３）。
【００４５】
携帯端末１００の制御部１１４は、ＬＥＤ照明３００からは、識別情報（コード）とともに当該エリアの詳細な広告情報が出力されているので、ユーザが欲する識別情報（コード）に対応する広告情報のみを選択的に受信するか、あるいは、一括して詳細な広告情報を受信し、必要な情報のみをメモリ１１３に格納するよう制御する。
【００４６】
携帯端末１００は、カメラ１０３でＬＥＤ照明３００から出力される可視光信号の受信によって当該エリアの詳細な広告情報が取得されたか否かを判定する（Ｓ１４）。
【００４７】
カメラ１０３により当該エリアの詳細な広告情報が取得されている場合（Ｓ１４／Ｙｅｓ）、ＬＥＤ照明３００から出力される可視光信号の復調（情報解析）を行う（Ｓ１５）。
【００４８】
携帯端末１００の制御部１１４は、一括して詳細な広告情報を受信したときは、必要な情報のみを抽出してメモリ１１３に格納し、その他の情報は廃棄する（Ｓ１６）。
【００４９】
最後に、携帯端末１００の制御部１１４は、ユーザが欲する広告情報（詳細）を、ＬＣＤによる表示や、スピーカからの音声再生などにより出力する（Ｓ１７）。
【００５０】
上記の実施の形態によれば、ユーザは、欲する情報（詳細）のみを簡単な操作で入手できる。
【００５１】
また、識別情報を記憶しておくことで、任意のタイミングで照明から希望する詳細な情報を入手することができる。
【００５２】
次に、本発明の第２の実施の形態について図面を参照して詳細に説明する。
【００５３】
本実施の形態の情報配信システムは、上記の第１の実施の形態と基本的な構成は同様であるが、ユーザの欲する情報（詳細）の選択を広告情報２００から取得した識別情報（コード）により行うのではなく、該広告情報２００の位置を特定することにより行うようにした点が異なる。なお、重複する説明は省略する。
【００５４】
本実施の形態おける情報を配信する処理のフローについて図４を参照して説明する。携帯端末１００のユーザが、所定のエリアに掲示された広告物（任意の一つ）に興味を持ち、詳細情報を欲する場合を前提とする。
【００５５】
まず、携帯端末１００の測位部１１１は、自機の位置と、携帯端末１００の方位センサ１１０により当該自機の位置からユーザの欲する広告情報２００に到る方位を求める（Ｓ２１）。例えば、携帯端末１００を、情報を欲する広告情報２００に向けることで当該情報を取得することであってもよい。
【００５６】
当該自機の位置からユーザの欲する広告情報２００に到る方位の情報は、メモリ１１３に格納され、次に、携帯端末１００は、当該エリアの詳細な広告情報を取得すべく、カメラ１０３を起動する（Ｓ２２）。
【００５７】
携帯端末１００の制御部１１４は、ＬＥＤ照明３００からは、位置情報とともに当該エリアの詳細な広告情報が出力されているので、ユーザが欲する位置情報に対応する広告情報のみを選択的に受信するか、あるいは、一括して詳細な広告情報を受信し、必要な情報のみをメモリ１１３に格納するよう制御する。
【００５８】
以下のステップＳ２３〜Ｓ２６の動作は、上記の第１の実施の形態と同様である。
【００５９】
次に、本発明の第３の実施の形態について図面を参照して詳細に説明する。
【００６０】
本実施の形態の情報配信システムは、上記の第１の実施の形態と基本的な構成は同様であるが、ユーザの欲する情報（詳細）の選択を広告情報２００から取得した識別情報（コード）により行うのではなく、発光信号情報（情報を出力するＬＥＤ発光色）により行うようにした点が異なる。なお、重複する説明は省略する。
【００６１】
本実施の形態おける情報を配信する処理のフローについて図５を参照して説明する。携帯端末１００のユーザが、所定のエリアに掲示された広告物（任意の一つ）に興味を持ち、詳細情報を欲する場合を前提とする。
【００６２】
まず、携帯端末１００の受光フィルタ１０４は、受信する情報を選択する（Ｓ３１）。受光（透過）する所定の周波数（色）のみを選択することによって行われてもよい。
【００６３】
受光フィルタ１０４が受信する情報のデータは、メモリ１１３に格納され、次に、携帯端末１００は、当該エリアの詳細な広告情報を取得すべく、カメラ１０３を起動する（Ｓ２２）。
【００６４】
詳細な広告情報のうち、受光フィルタ１０４により選択された必要な情報のみが受信される。
【００６５】
以下のステップＳ３３〜Ｓ３５の動作は、上記の第１の実施の形態と同様である。
【００６６】
なお、上述する各実施の形態は、本発明の好適な実施の形態であり、本発明の要旨を逸脱しない範囲内において種々変更実施が可能である。例えば、上記の実施の形態における携帯端末１００、広告情報２００、ＬＥＤ照明３００および情報サーバ４００の機能を実現するためのプログラムを各装置に読込ませて実行することにより各装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【００６７】
上述する各実施の形態は、携帯端末１００、広告情報２００、ＬＥＤ照明３００および情報サーバ４００が別個に接続されているシステム構成について説明したが、各機能が１つのコンピュータシステムとして実現されている構成や機能毎に複数の装置などが追加された構成にも適用可能であることはもちろんである。
【図面の簡単な説明】
【００６８】
【図１】本発明の第１の実施形態における情報配信システムの概略構成図である。
【図２】本発明の第１の実施形態における携帯端末の機能ブロック図である。
【図３】本発明の第１の実施形態における情報配信処理動作を示すフローチャートである。
【図４】本発明の第２の実施形態における情報配信処理動作を示すフローチャートである。
【図５】本発明の第３の実施形態における情報配信処理動作を示すフローチャートである。
【符号の説明】
【００６９】
１００    携帯端末
２００    広告情報
３００    ＬＥＤ照明
４００    情報サーバ
５００    ネットワーク
【図１】
0004848691.tif 000002
【図２】
0004848691.tif 000003
【図３】
0004848691.tif 000004
【図４】
0004848691.tif 000005
【図５】
0004848691.tif 000006